(57)【要約】【課題】  地震の際にテーブルや机の下に避難した人がその場所から放り出されるのを防止することができ、さらにテーブルや机の強度をも増大させることができる、便利有用な地震用つかまり棒並びにこの地震用つかまり棒を備えた家具を提供する。【解決手段】  重力方向に延び、パイプ状の支柱２と、支柱２の上部に設けられ、テーブルや机等の天板の下面に取り付けられる取付部材３と、支柱２の下部に移動可能に設けられ、支柱２の下部の長さを調節する調節支持体４とを備える。調節支持体４が、支柱２内に挿入されて摺動する基部４１と、基部４１の上部から支柱２内に延びるネジ棒４２と、支柱２の下部に設けられ、床等に接地されるフランジ状の接地部４３とで構成され、支柱２内に、ネジ棒４２と螺合して支柱２から突出する調節支持体４の長さを調節する螺合部２５を設けたことにより、前記課題を解決した。【選択図】        図４
2006314362.tif 000002
【特許請求の範囲】
【請求項１】
重力方向に延びる支柱と、この支柱の上部に設けられ、テーブルや机等の天板の下面に取り付けられる取付部材と、前記支柱の下部に移動可能に設けられ、該支柱の下部の長さを調節する調節支持体とを備えた地震用つかまり棒であって、
前記支柱がパイプ状に形成され、
前記調節支持体が、前記支柱内に挿入されて摺動する基部と、この基部の上部から前記支柱内に延びるネジ棒と、前記支柱の下部に設けられ、床等に接地されるフランジ状の接地部とで構成され、
前記支柱内に、前記ネジ棒と螺合して前記支柱から突出する前記調節支持体の長さを調節する螺合部を設けたことを特徴とする、地震用つかまり棒。
【請求項２】
前記基部がパイプ状に形成され、前記ネジ棒が、該基部内に挿入されて該基部内に密接されて固定される固定部と、前記基部から延び、外周にネジ溝が設けられたネジ部とからなるパイプ状に形成され、前記固定部の下部が、前記接地部の貫通する取付孔に溶接により固定され、かつ、前記基部の下部が、前記接地部に接触又は近接していることを特徴とする、請求項１に記載の地震用つかまり棒。
【請求項３】
前記取付部材に、非常の際の持ち出し用品等を吊り下げる吊り下げ部を設けたことを特徴とする、請求項１又は２に記載の地震用つかまり棒。
【請求項４】
前記請求項１〜３のいずれか１項に記載の地震用つかまり棒を備えたことを特徴とする、家具。
【発明の詳細な説明】
【技術分野】
【０００１】
本発明は、部屋の中の物が落下したり家具が倒れたりするほどに揺れる例えば震度４以上の地震の際にとくに効力を発揮することのできる地震用つかまり棒及びそのつかまり棒を備えた家具に関するものである。
【背景技術】
【０００２】
部屋の中で地震に遭遇した際には、まず、テーブルや机の下に避難して様子を見るということが、地震に遭遇した際における初動時の身体、生命の安全を図るための安全対策として説明される。また、地震を想定した避難訓練の際にも、このことが訓練として実際に行われている。
【０００３】
実際にテーブルや机の下に避難しなくてはならないような震度の地震の場合には、避難するテーブルや机自体がひっくりかえったり、移動してしまう他、テーブルや机の下に避難した人の身体もその下から放り出されてしまうという問題がある。このため、テーブルや机の天板の下面に地震用つかまり棒を取り付けることが提案されている（例えば、特許文献１参照。）。
【特許文献１】特開平１１−７５９４３号公報
【発明の開示】
【発明が解決しようとする課題】
【０００４】
この特許文献１に記載されている地震用つかまり棒は、適宜長さを有する握持棒と、この握持棒を横に寝かせた状態で両端部を家具の天板の下面へ取り付けるための取付手段とからなり、取付手段で握持棒をテーブルや机等の家具の天板の下面に取付ビス等で固着すると、地震の際にはこのテーブルや机の下に入って握持棒につかまっていることにより、いくら揺れても避難したテーブルや机の下から放り出されてしまうことがない。
【０００５】
しかし、その地震用つかまり棒を取り付けたテーブルや机が中央部に支柱のない例えば４つ脚の場合、地震の揺れにより他の家具や天井の梁等がテーブルや机に倒れて来た時に、天板が折れて下に避難した人を直撃してしまうことも考えられる。
【０００６】
本発明は、前記課題を解決するためになされたものであって、その目的は、地震の際にテーブルや机の下に避難した人がその場所から放り出されるのを防止することができ、さらにテーブルや机の強度をも増大させることができる、便利有用な地震用つかまり棒並びにこの地震用つかまり棒を備えた家具を提供することにある。
【０００７】
前記の目的を達成するための本発明に係る地震用つかまり棒は、重力方向に延びる支柱と、この支柱の上部に設けられ、テーブルや机等の天板の下面に取り付けられる取付部材と、前記支柱の下部に移動可能に設けられ、該支柱の下部の長さを調節する調節支持体とを備えた地震用つかまり棒であって、前記支柱がパイプ状に形成され、前記調節支持体が、前記支柱内に挿入されて摺動する基部と、この基部の上部から前記支柱内に延びるネジ棒と、前記支柱の下部に設けられ、床等に接地されるフランジ状の接地部とで構成され、前記支柱内に、前記ネジ棒と螺合して前記支柱から突出する前記調節支持体の長さを調節する螺合部を設けたことを特徴とする。
【０００８】
この発明によれば、テーブルや机等の天板の下面に取付部材を介して支柱を取り付けて天板より支柱を垂下させ、調節支持体を上下方向に移動させて床等の上へ接地することで、地震の際にはテーブルや机がひっくりかえったり、あらぬ方向へ移動してしまったりすることがない上に、人はテーブルや机の下に入って支柱にしがみついていることにより、いくら揺れても避難したテーブルや机の下から身体が放り出されてしまうことがない。また、支柱の下部である調節支持体を床等に接地させると、ネジ棒だけでなく基部も支柱に接触するために、ネジ棒だけで支柱に連結されている場合に比して高い強度で支柱と調節支持体とが連結されるので、同時にテーブルや机のとくに天板の部分を補強することになるので、その上に他の家具や天井や梁等が落下して来ても、天板が折れて破壊されてしまうのを可及的に防止することができるものである。従って、地震の際にテーブルや机の下に避難した人がその場所から放り出されるのを防止することができ、さらにテーブルや机の強度をも増大させることができる。
【０００９】
本発明に係る地震用つかまり棒において、前記基部がパイプ状に形成され、前記ネジ棒が、該基部内に挿入されて該基部内に密接されて固定される固定部と、前記基部から延び、外周にネジ溝が設けられたネジ部とからなるパイプ状に形成され、前記固定部の下部が、前記接地部の貫通する取付孔に溶接により固定され、かつ、前記基部の下部が、前記接地部に接触又は近接していることが好ましい。また、本発明に係る地震用つかまり棒において、前記取付部材に、非常の際の持ち出し用品等を吊り下げる吊り下げ部を設けることが好ましい。
【００１０】
また、本発明に係る家具は、前記の本発明に係る地震用つかまり棒を備えたことを特徴とする。この発明によれば、前述と同様に、地震の際にテーブルや机の下に避難した人がその場所から放り出されるのを防止することができ、さらにテーブルや机の強度をも増大させることができる。
【発明の効果】
【００１１】
以上説明したように、本発明に係る地震用つかまり棒及び家具によれば、パイプ状の支柱と取付部材と支柱内に挿入されて摺動する基部、ネジ棒及び接地部を有し、支柱の下部の長さを調節する調節支持体とを備えたので、地震の際にテーブルや机の下に避難した人がその場所から放り出されるのを防止することができ、さらにテーブルや机の強度をも増大させることができる。
【発明を実施するための最良の形態】
【００１２】
以下、本発明に係る地震用つかまり棒及び家具を添付図面に基づいて詳述する。
【００１３】
図１〜図５は本発明に係る地震用つかまり棒の一例を示す図である。本発明に係る地震用つかまり棒は、図１〜図５に示すように、重力方向に延びる支柱２と、この支柱２の上部に設けられ、テーブル１０や机等図示例ではテーブル１０の天板１１の下面に取り付けられる取付部材３と、前記支柱２の下部に移動可能に設けられ、該支柱２の下部の長さを調節する調節支持体４とを備えものである。この本発明に係る地震用つかまり棒１は、前記支柱２がパイプ状に形成され、前記調節支持体４が、前記支柱２内に挿入されて摺動する基部４１と、この基部４１の上部から前記支柱２内に延びるネジ棒４２と、前記支柱２の下部に設けられ、床１２等に接地されるフランジ状の接地部４３とで構成され、前記支柱２内に、前記ネジ棒４２と螺合して前記支柱２から突出する前記調節支持体４の長さを調節する螺合部２５を設けたことに特徴がある。
【００１４】
支柱２は、例えばスチール、ステンレス、アルミニウム等の金属、或は合成樹脂等の強度のある材料で構成された丸パイプ状で形成されている。支柱２としては、もちろん、必ずしも丸パイプ状でなくとも良く、平面断面形状も丸状の他、楕円、四角その他の多角形状等のさまざまなパイプ状のものが考えられ、図示例に限定されるものではない。支柱２の上部近傍には、開口部を閉塞するように取付板２１が例えば溶接により固着されている。この取付板２１には、螺子溝が設けられた取付螺子孔２２が２つ以上例えば３つ設けられている。
【００１５】
支柱２内には、内面にネジ溝が螺設されている略円筒状の螺合部２５が同軸上に設けられている。螺合部２５の外径は、支柱２の内径と略同じ寸法で形成されていることが好ましい。この螺合部２５の位置は、特に限定されないが、支柱２の下部より中央部に離間した位置であることが好ましく、支柱２の下部より調節支持体４が移動し得る略最大範囲の寸法の長さ以上離間した位置であることがより好ましく、例えば、支柱２の下部よりその略最大範囲の寸法の長さ離間した位置であることが最も好ましい。
【００１６】
取付部材３は、例えばスチール、ステンレス、アルミニウム等の金属、或は合成樹脂等の強度のある材料で構成された略矩形平板状で形成されている。この取付部材３の幅は、支柱２の直径より大きな寸法で形成されている。取付部材３としては、もちろん、必ずしも略矩形状でなくとも良く、円形状、楕円形状、三角形状、多角形状等さまざまなものが考えられ、図示例に限定されるものではない。この取付部材３の長手方向の略中央部には、取付螺子孔２２に対応して３つの貫通孔３２が設けられており、取付部材３を支柱２の上部に接触させてネジやボルト等の締付部材例えばネジ１５を貫通孔３２を貫通させて取付螺子孔２２に螺合させることによって取付部材３を支柱２の上部に着脱可能に固定される。すなわち、取付部材３は、フランジ部である。
【００１７】
また、取付部材３の下面には、非常の際の持ち出し用品等を吊り下げる吊り下げ部が設けられている。吊り下げ部７は、どのように形成してもよく、例えば、棒状部材によって形成してもよい。吊り下げ部７は、例えば、支柱２の外周の近傍に略半円リング状の半円リング部７ａを２つもうけて略リング状に形成するようにしてもよい。この吊り下げ部７に図示してない懐中電燈や薬や非常食、水といった非常時の際の持ち出し用品を吊り下げられる。尚、この吊り下げ部は支柱２に頭付ピン、フックその他の手段によって取り付けられても良い。また、取付部材３には、取付部材３をテーブル１０の天板１１の下面に取り付けるためにネジやボルト等の締付部材例を貫通させるための取付孔３５が２個以上例えば１０個設けられている。
【００１８】
調節支持体４は、支柱２の下部の長さを調節するものであり、支柱２の下部に移動可能に設けられている。調節支持体４は、支柱２内に挿入されて摺動する基部４１と、この基部４１の上部から支柱２内に延びるネジ棒４２と、支柱２の下部に設けられ、床１２等に接地されるフランジ状の接地部４３とで構成されている。接地部４３は、例えば略円板状に形成されて、周縁部がフランジ状に形成されている。この接地部４３の中央部には、同軸上に貫通する取付孔４３ａが設けられている。
【００１９】
基部４１は、支柱２内に挿入されて摺動するものであり、例えば、パイプ状すなわち円筒状に形成されている。基部の外径は、支柱２の内径より若干小さな寸法で形成されていることが好ましい。基部の内径は、螺合部２５の内径より短い例えば若干短い寸法で形成されていることが好ましい。基部４１の長さ（軸方向の長さ）は、調節支持体４が支柱２に対して移動してもネジ棒４２が外部に露出することがないか又はほとんど露出することがない寸法で形成されていることが好ましい。基部４１の外表面は、同じ径の円形状に形成されており、この外表面をペンキ等の塗料により所望の色に着色することによって美観を向上させることが可能となる。
【００２０】
ネジ棒４２は、基部４１の上部から支柱２内に延びて螺合部２５と螺合し、接地部４３を支柱２に対して回転させることによって調節支持体４が支柱２の軸方向に回転移動して支柱２から調節支持体４が突出する長さすなわち支柱２の下部の長さが調節されるようになっている。ネジ棒４２は、例えば、基部４１内に挿入されて基部４１内に密接されて固定される固定部４２ａと、基部４１から延び、外周にネジ溝が設けられたネジ部４２ｂとからなるパイプ状に形成されていることが好ましい。固定部４２ａの下部は、接地部４３の取付孔４３ａを貫通してこの取付孔４３ａに溶接により強固に固定されている。また、基部４１の下部は、接地部４３に接触又は近接していることが好ましい。
【００２１】
次に本発明に係る地震用つかまり棒１の作用を説明する。
【００２２】
本発明に係る地震用つかまり棒１を例えばテーブル１０の天板１１の下面に取り付けるには、取付部材３を天板１１の下面の所望の位置例えば略中央部に締付部材を用いて取り付け、支柱２を天板１１の下面から下方へ垂下させる。次に、テーブル１０を床１２等の所望の位置に移動させた後に、調節支持体４を支柱２に対して左右いずれか一方の方向へ回して、支柱２から突出する調節支持体４の長さすなわち地震用つかまり棒１の長さを調節して接地部４３を床１２に接地させる。これにより、地震用つかまり棒１の取付が完了する。
【００２３】
そうして、例えば、地震が来た際には、テーブル１０の下へ逃げ込み、支柱２にしがみつくことで、テーブル１０があらぬ方向へ移動してしまったり、人が外へ放り出される心配がない。また、支柱２の下部である調節支持体４を床１２に接地させると、同時にテーブル１０のとくに天板１１の部分を補強することになる。このとき、調節支持体４の支柱２への接触は、ネジ棒４２のネジ部４２ｂだけでなく基部４１も接触するために、ネジ部４２ｂだけで接触する場合に比して強度が高くなるので、確実に天板１１の部分を補強することができる。また、支柱２、基部４１、ネジ棒４２がそれぞれパイプ状に形成されて中が空洞であるので、強度をより高くすることができ、より確実に天板１１の部分を補強することができる。その結果、天板１１の上に他の家具や天井や梁等が落下して来ても、天板１１が折れて破壊されてしまうのを可及的に防止することができるので、テーブル１０の天板１１の下方が落下物や倒壊物に対して、身体を保護する一種のシェルターとなり、安全性を向上させることができる。
【００２４】
また、取付部材３に非常時の際の持ち出し用品等を吊り下げ部７に吊り下げておくことにより、天板１１の下方にこれらの持ち出し用品があるので、非常時のときには懐中電燈や薬や非常食、水といった非常時の際の持ち出し用品を利用することができる。
【００２５】
なお、支柱２を取り付ける場所は、地震の揺れによってテーブル１０や机等とその下に避難した人との位置がずれても、天板１１がその上部を覆うことができること、さらに、中央部は天板１１の強度が最も弱いところであるなどからして該天板１１の中央部が最も望ましいことになるが、多少片寄った位置にすることは任意である。また、テーブル１０や机が大きい場合は、本発明に係る地震用つかまり棒１を天板１１の下面の数カ所に取り付けることが考えられる。
【００２６】
また、天板１１の材圧が薄かったり、取付ビスやボルトが捻子着できなかったりする材料の場合に、天板１１と取付部材３との間に補強用として取付盤（図示せず）を設けるようにしてもよい。取付盤は、両面テープ、接着剤等により天板１１の下面に固着するようにしてもよい。
【産業上の利用可能性】
【００２７】
以上説明したように本発明に係る地震用つかまり棒及び家具は、パイプ状の支柱と取付部材と支柱内に挿入されて摺動する基部、ネジ棒及び接地部を有し、支柱の下部の長さを調節する調節支持体とを備えたので、地震の際にテーブルや机の下に避難した人がその場所から放り出されるのを防止することができ、さらにテーブルや机の強度をも増大させることができ、安全性が向上する。
【図面の簡単な説明】
【００２８】
【図１】本発明に係る地震用つかまり棒の一例を示す正面図である。
【図２】本発明に係る地震用つかまり棒の一例を示す平面図である。
【図３】本発明に係る地震用つかまり棒の一例を示す側面図である。
【図４】図３中のＡ−Ａ線矢視断面図である。
【図５】本発明に係る地震用つかまり棒をテーブルに取り付けた一例を示す正面図である。
【符号の説明】
【００２９】
１  地震用つかまり棒
２  支柱
３  取付部材
４  調節支持体
７  吊り下げ部
２５  螺合部
４１  基部
４２  ネジ棒
４３  接地部
【図１】
2006314362.tif 000003
【図２】
2006314362.tif 000004
【図３】
2006314362.tif 000005
【図４】
2006314362.tif 000006
【図５】
2006314362.tif 000007